(57)【要約】【課題】搬送経路に沿って搬送される原稿の一方の面を読み取る第１画像読取部と、前記搬送経路に沿って搬送される当該原稿の他方の面を読み取る第２画像読取部とを備えた画像読取装置において、読取速度を確保しつつ各画像読取部からの読取信号を１つの処理部で処理可能とすること。【解決手段】ＡＤＦ側ＣＩＳがＡ４原稿サイズに対応し、ＦＢ側ＣＩＳがＡ３原稿サイズに対応しているとき、Ａ４サイズの原稿の両面読取を実行する場合は、ＡＤＦ側ＣＩＳ，ＦＢ側ＣＩＳに入力されるトリガ信号ＴＧＡ，ＴＧＢの出力タイミングを次のように設定する。すなわち、アナログ出力ＡのうちＡ４サイズの短辺に対応した読取領域の出力が終了した時点で、アナログ出力ＢのうちＡ４サイズの短辺に対応した読取領域の出力が開始されるようにする。このため、不要な読取信号が出力される時間が減少する。【選択図】図７
2011254137.tif 000002
【特許請求の範囲】
【請求項１】
主走査方向に配列された複数の第１受光素子を有し、搬送経路に沿って副走査方向に搬送される原稿の一方の面の画像を前記各第１受光素子を介して読み取って当該各第１受光素子の読取信号を順次出力する第１画像読取部と、
主走査方向に配列された複数の第２受光素子を有し、前記搬送経路に沿って副走査方向に搬送される原稿の他方の面の画像を前記各第２受光素子を介して読み取って当該各第２受光素子の読取信号を順次出力する第２画像読取部と、
前記第１画像読取部及び前記第２画像読取部による前記読取信号の出力タイミングを制御する制御部と、
前記原稿の主走査方向の幅を検出する原稿幅検出部と、
を備え、
前記制御部は、前記第１画像読取部及び前記第２画像読取部のうち一方が、前記原稿幅検出部が検出した幅に対応した読取信号を出力し終わった時点で、前記第１画像読取部及び前記第２画像読取部のうち他方が前記幅に対応した読取信号を出力するように、前記出力タイミングを制御することを特徴とする画像読取装置。
【請求項２】
前記制御部は、前記第１画像読取部または前記第２画像読取部の一方を選択する選択信号を出力し、
前記第１画像読取部または前記第２画像読取部から出力された読取信号を処理する処理部と、
前記選択信号に応じて、前記第１画像読取部からの読取信号または前記第２画像読取部からの読取信号のいずれを前記処理部に入力するか切り換える切り換え部と、
を備えたことを特徴とする請求項１に記載の画像読取装置。
【請求項３】
前記第１受光素子が配列された主走査方向の範囲と、前記第２受光素子が配列された主走査方向の範囲とが、互いに異なることを特徴とする請求項１または２に記載の画像読取装置。
【発明の詳細な説明】
【技術分野】
【０００１】
本発明は、原稿の画像を読み取る画像読取装置に関し、詳しくは、搬送経路に沿って搬送される原稿の一方の面を読み取る第１画像読取部と、前記搬送経路に沿って搬送される当該原稿の他方の面を読み取る第２画像読取部とを備えた画像読取装置に関する。
【背景技術】
【０００２】
従来より、スキャナ，複写機，ファクシミリ装置等の機器には、原稿の画像を読み取る画像読取装置が適用されている。この種の画像読取装置で原稿の表裏両面の画像を読み取る構成としては、原稿の搬送経路を工夫して原稿を反転させることによって１つの画像読取部により表裏両面の画像を読み取る構成も提案されているが、近年、２つの画像読取部により表裏両面の画像を同時に読み取る構成も提案されている。例えば、搬送経路に沿って搬送される原稿の一方の面を読み取る第１画像読取部と、前記搬送経路に沿って搬送される当該原稿の他方の面を読み取る第２画像読取部とを備えた画像読取装置では、前記第１画像読取部による前記一方の面の画像読取動作と、前記第２画像読取部による前記他方の面の画像読取動作とを並行して実行でき、読取速度を向上させることができる。
【０００３】
また、この種の画像読取装置では、第１画像読取部及び第２画像読取部をスイッチを介して共通のラインバッファ群に接続し、各画像読取部から出力された読取信号を前記スイッチを交互に切り換えることによって前記ラインバッファ群に格納することが提案されている（例えば、特許文献１参照）。
【０００４】
一方、主走査方向に配列された複数の受光素子を有し、各受光素子の読取信号を順次出力する画像読取部を備えた画像読取装置では、いわゆるダミー画素領域に配設された受光素子からの読取信号は不要であることが知られている。そこで、１つの画像読取部を備えて原稿の片面の画像を読み取る画像読取装置において、ダミー画素領域に対応する読取信号の転送クロックを、有効な領域に対応する読取信号の転送クロックよりも速くすることも提案されている（例えば、特許文献２参照）。
【先行技術文献】
【特許文献】
【０００５】
【特許文献１】特開平９−２００４３７号公報
【特許文献２】特開２００４−１７２８５４号公報
【発明の概要】
【発明が解決しようとする課題】
【０００６】
ところが、特許文献１のように第１画像読取部からの読取信号と第２画像読取部からの読取信号とを交互に切り換えて共通のラインバッファ群に格納する場合、各画像読取部からの読取信号を別個のラインバッファ群に個々に格納する場合に比べて読取時間が長くなる。すなわち、この場合、ラインバッファ群を共通化することでコスト面では有利になるが読取時間では不利になる。特許文献２の技術を特許文献１の技術と組み合わせれば、読取速度が幾分向上するが、それでも十分とはいえない。
【０００７】
そこで、本発明は、搬送経路に沿って搬送される原稿の一方の面を読み取る第１画像読取部と、前記搬送経路に沿って搬送される当該原稿の他方の面を読み取る第２画像読取部とを備えた画像読取装置において、読取速度を確保しつつ各画像読取部からの読取信号を１つの処理部で処理可能とすることを目的としてなされた。
【課題を解決するための手段】
【０００８】
前記目的を達するためになされた本発明の画像読取装置は、主走査方向に配列された複数の第１受光素子を有し、搬送経路に沿って副走査方向に搬送される原稿の一方の面の画像を前記各第１受光素子を介して読み取って当該各第１受光素子の読取信号を順次出力する第１画像読取部と、主走査方向に配列された複数の第２受光素子を有し、前記搬送経路に沿って副走査方向に搬送される原稿の他方の面の画像を前記各第２受光素子を介して読み取って当該各第２受光素子の読取信号を順次出力する第２画像読取部と、前記第１画像読取部及び前記第２画像読取部による前記読取信号の出力タイミングを制御する制御部と、前記原稿の主走査方向の幅を検出する原稿幅検出部と、を備え、前記制御部は、前記第１画像読取部及び前記第２画像読取部のうち一方が、前記原稿幅検出部が検出した幅に対応した読取信号を出力し終わった時点で、前記第１画像読取部及び前記第２画像読取部のうち他方が前記幅に対応した読取信号を出力するように、前記出力タイミングを制御することを特徴としている。
【０００９】
このように構成された本発明では、第１画像読取部は、主走査方向に配列された複数の第１受光素子を有し、搬送経路に沿って副走査方向に搬送される原稿の一方の面の画像を前記各第１受光素子を介して読み取って当該各第１受光素子の読取信号を順次出力する。同様に、第２画像読取部は、主走査方向に配列された複数の第２受光素子を有し、前記搬送経路に沿って副走査方向に搬送される原稿の他方の面の画像を前記各第２受光素子を介して読み取って当該各第２受光素子の読取信号を順次出力する。
【００１０】
また、原稿幅検出部は、前記原稿の主走査方向の幅を検出する。すると、原稿幅検出部が検出した原稿の幅から外れた領域に配設された受光素子からの読取信号は、前述のダミー画素領域に配設された受光素子からの読取信号と同様、不要な読取信号であることが分かる。そこで、本発明の画像読取装置に備えられた制御部は、前記第１画像読取部及び前記第２画像読取部のうち一方が、前記原稿幅検出部が検出した幅に対応した読取信号を出力し終わった時点で、前記第１画像読取部及び前記第２画像読取部のうち他方が前記幅に対応した読取信号を出力するように、前記各画像読取部による読取信号の出力タイミングを制御する。このため、不要な読取信号が出力される時間が減少し、読取速度を良好に向上させることができる。しかも、前記第１画像読取部及び前記第２画像読取部のうち一方が前記幅に対応した読取信号を出力してから前記第１画像読取部及び前記第２画像読取部のうち他方が前記幅に対応した読取信号を出力するので、各画像読取部からの読取信号を１つの処理部で処理することも可能となる。
【００１１】
なお、前記制御部は、前記第１画像読取部または前記第２画像読取部の一方を選択する選択信号を出力し、前記第１画像読取部または前記第２画像読取部から出力された読取信号を処理する処理部と、前記選択信号に応じて、前記第１画像読取部からの読取信号または前記第２画像読取部からの読取信号のいずれを前記処理部に入力するか切り換える切り換え部と、を更に備えてもよい。
【００１２】
この場合、前記制御部から出力された選択信号に応じて、切り換え部が前記第１画像読取部からの読取信号または前記第２画像読取部からの読取信号のいずれを処理部に入力するか切り換え、その切り換え部を介して入力された読取信号に対して処理部が処理を実行する。このように、切り換え部による切り換えによっていずれの画像読取部からの読取信号を処理部に入力するかを制御すれば、各画像読取部からの読取信号を１つの処理部によって円滑に処理することができる。なお、前記処理部は、読取信号を他の媒体へ転送したり単にＡ／Ｄ変換を行うなどの比較的簡単な処理を行うものであってもよく、画像処理等の比較的高度な処理を行うものであってもよい。
【００１３】
また、前記第１受光素子が配列された主走査方向の範囲と、前記第２受光素子が配列された主走査方向の範囲とが、互いに異なってもよく、その場合、次のように本発明の効果が一層顕著に表れる。すなわち、前記第１受光素子が配列された主走査方向の範囲と前記第２受光素子が配列された主走査方向の範囲とが互いに異なる場合、前記搬送経路に沿って搬送される原稿の両面を読み取る際にその原稿の幅から外れた領域に配設される受光素子の数が多くなる。本発明では、前述のように、そのような受光素子からの読取信号の出力に要する時間を減少させることができるので、それによって読取速度を一層顕著に向上させることができる。
【図面の簡単な説明】
【００１４】
【図１】本発明が適用された複合機の構成を概略的に表す斜視図である。
【図２】その複合機に搭載された画像読取装置の主要部の構成を模式的に表す断面図である。
【図３】その画像読取装置における第１読取デバイス近傍の構成を表す斜視図である。
【図４】その画像読取装置の各読取デバイスの構成を表す模式図である。
【図５】その画像読取装置の制御系の構成を表すブロック図である。
【図６】その制御系で実行される処理を表すフローチャートである。
【図７】その処理の効果を例示するタイムチャートである。
【図８】上記画像読取装置の変形例の効果を例示するタイムチャートである。
【図９】上記処理の変形例を表すフローチャートである。
【発明を実施するための形態】
【００１５】
次に、本発明の実施の形態を図面と共に説明する。図１は、本発明が適用された複合機１の構成を概略的に表す斜視図であり、図２は、その複合機１に搭載された画像読取装置１０の主要部の構成を模式的に表す断面図である。なお、図１に示すように複合機１は、基体２０の上面に原稿カバー３０を開閉可能に備えている。
【００１６】
［画像読取装置の全体の構成］
図１に示すように、基体２０の上端面には、本実施の形態の画像読取装置１０がフラットベットスキャナとして使用される場合に原稿（図示省略）が載置されるガラス製の原稿台２１が設けられている。そして、原稿カバー３０は、原稿台２１の表面に閉じられることによってその原稿台２１に載置された原稿を覆うように、基体２０の上端面の一辺（図１における奥側の辺で、以下、その辺の側を後側ともいう）の端縁にヒンジ３１を介して開閉自在に取り付けられている。
【００１７】
また、この原稿カバー３０は、図２に示すように、ＡＤＦ（Automatic Document Feeder ）を備える原稿カバーとして構成され、給紙トレイ１１０に載置された原稿を搬送経路に沿って副走査方向に搬送し、ＡＤＦとして機能する搬送部１００と、搬送経路を搬送される原稿の裏面の画像読み取りを行うことが可能な第１読取デバイス２１０（第１画像読取部の一例）とを備えている。なお、前記第１読取デバイス２１０と並行して原稿の表面の画像読み取りを行うことが可能な第２読取デバイス２３０（第２画像読取部の一例）は基体２０に設けられている。
【００１８】
搬送部１００は、給紙トレイ１１０に載置された原稿を、搬送経路（図２の点線）に沿って排紙トレイ１３０まで搬送する搬送ローラ１２１〜１２９を備えている。なお、これらの搬送ローラ１２１〜１２９のうち、最上流の搬送ローラ１２１，１２２は、ホルダ１３３によって保持されている。
【００１９】
また、この搬送経路には、上流側読取位置と下流側読取位置とが設定されており、原稿の裏面（一方の面に相当）の画像読み取りを行うための第１読取デバイス２１０が上流側読取位置に対応して設けられており、更に、その上流側読取位置を通過する原稿を第１読取デバイス２１０の読取面に押圧する裏面用原稿押え２２０が設けられている。また、原稿台２１に設けられた、原稿の表面（他方の面に相当）の画像読み取りのための第２読取デバイス２３０が下流側読取位置に対応する位置に移動可能に構成されており、その下流側読取位置を通過する原稿を第２読取デバイス２３０の読取面に押圧する表面用原稿押え２４０が設けられている。
【００２０】
更に、この搬送経路上には、対応する位置を搬送中の原稿の有無を検知するための原稿センサとして、Ｆセンサ３１０，ＲＢセンサ３２０，Ｒセンサ３３０が設けられている。また、第２読取デバイス２３０は、モータ３５１によって回転駆動される駆動プーリ３５３と図示省略した従動プーリとの間に架設された無端ベルト３５７に固定されており、モータ３５１の回転に応じて原稿台２１の下方を副走査方向（左右方向）に移動可能である。
【００２１】
また、原稿カバー３０の一部を開放して表す図３に示すように、第１読取デバイス２１０の主走査方向の幅Ｌは、搬送部１００が搬送可能な原稿の幅Ｄよりも小さく設計されている。なお、第２読取デバイス２３０の主走査方向の幅は、上記幅Ｄよりも若干大きく設計されている。これは、搬送部１００はＡ３サイズの縦置きの原稿まで搬送でき、上記幅ＤはＡ３サイズの短辺に一致するが、原稿の表裏両面の画像を読み取る用途はＡ４サイズまでの原稿が一般的であるので、第１読取デバイス２１０はＡ４サイズの縦置きの原稿まで読取可能とされているためである。すなわち、上記幅Ｌは後述のダミー画素領域を考慮してＡ４サイズの短辺より若干長い長さに設計されており、Ａ３サイズの原稿に対しては第２読取デバイス２３０のみを用いた片面読取のみが実行可能である。
【００２２】
図４（Ａ）は、第２読取デバイス２３０の構成を表す模式図であり、図４（Ｂ）は、第１読取デバイス２１０の構成を表す模式図である。
図４（Ａ）に示すように、第２読取デバイス２３０は、Ａ３サイズの短辺（Ａ３原稿サイズ）よりも若干長い範囲に亘って主走査方向に配列された複数のレンズ２３４を備え、各レンズ２３４の結像位置にそれぞれ複数の受光素子２３５（第２受光素子の一例）を備えている。各受光素子２３５がレンズ２３４を介して受光した光量に応じて蓄積された電荷は、後述のトリガ信号ＴＧＢ（図５参照）に応じたタイミングで受光素子２３５毎に順次出力されアンプからなる出力器２３６によって増幅される。なお、主走査方向両端近傍の受光素子２３５は、適正な出力を得ることができないいわゆるダミー画素領域の受光素子２３５で、その領域の内側に配設された受光素子２３５がＡ３サイズの短辺の長さに亘って配設されている。
【００２３】
図４（Ｂ）に示すように、第１読取デバイス２１０は、Ａ４サイズの短辺（Ａ４原稿サイズ）よりも若干長い範囲に亘って主走査方向に配列された複数のレンズ２１４を備え、各レンズ２１４の結像位置にそれぞれ複数の受光素子２１５（第１受光素子の一例）を備えている。各受光素子２１５に受光量に応じて蓄積された電荷は、後述のトリガ信号ＴＧＡ（図５参照）に応じたタイミングで受光素子２１５毎に順次出力され出力器２１６によって増幅される。また、図４（Ａ），（Ｂ）に示すように、第２読取デバイス２３０と第１読取デバイス２１０とは、主走査方向の中心が一致するように配置されている。
【００２４】
［画像読取装置の制御系の構成］
次に、図５は、画像読取装置１０の制御系の構成を表すブロック図である。図５に示すように、この制御系はＡＳＩＣ４００（制御部の一例）を中心に構成され、そのＡＳＩＣ４００は、第１読取デバイス２１０（ＡＤＦ側ＣＩＳ），第２読取デバイス２３０（ＦＢ側ＣＩＳ）に前述のトリガ信号ＴＧＡ，ＴＧＢを出力するタイミング生成回路４０１を備えている。なお、タイミング生成回路４０１は、第１読取デバイス２１０，第２読取デバイス２３０にクロック信号ＣＬＫＡ，ＣＬＫＢもそれぞれ出力しており、更に、次のような選択信号ＳＥＬも出力している。
【００２５】
すなわち、前述の出力器２１６，２３６からの出力（読取信号）は、アナログ出力Ａ，Ｂ（ＡｎａｌｏｇＯＵＴＰＵＴＡ，Ｂ）として第１読取デバイス２１０，第２読取デバイス２３０から出力される。これらのアナログ出力Ａ，Ｂをデジタル信号に変換する処理部の一例としてのＡ／Ｄ変換回路４１０には、上記アナログ出力Ａ，Ｂのいずれか一方が、スイッチ回路４２０（切り換え部の一例）を介して入力される。スイッチ回路４２０は、タイミング生成回路４０１から入力される前述の選択信号ＳＥＬに基づいて、アナログ出力Ａ，ＢのいずれをＡ／Ｄ変換回路４１０に入力するか切り換えるものである。
【００２６】
更に、ＡＳＩＣ４００は、ＣＰＵ４０２，ＲＯＭ４０３，ＲＡＭ４０４，画像処理部４０６を備え、これらはバス４０９を介してタイミング生成回路４０１と接続されている。また、Ａ／Ｄ変換回路４１０にてデジタル信号に変換された上記出力は、ＲＡＭ４０４にデータとして一時的に格納された後、画像処理部４０６にて各種画像処理が施される。また、図５では図示省略したが、ＡＳＩＣ４００には、複合機１の筐体表面に設けられた操作パネル６００（図１参照）や、搬送部１００を駆動するモータ（図示省略）や、前述の各種センサ３１０〜３３０（図２参照）も接続されている。なお、操作パネル６００は、スイッチ等の入力部と表示部とを兼ね備えたものである。
【００２７】
［上記制御系における処理］
次に、図６は、ＡＳＩＣ４００のＣＰＵ４０２が、ＲＯＭ４０３に記憶されたプログラムに基づいて実行する処理を表すフローチャートである。なお、この処理は、給紙トレイ１１０に原稿が載置され、操作パネル６００を介してその原稿の読み取りが指示されると開始される。
【００２８】
図６に示すように、この処理では、先ず、Ｓ１０１（Ｓはステップを表す：以下同様）にて、搬送部１００が駆動されて原稿の搬送が開始される。すると、続くＳ１０２では、各種センサ３１０〜３３０からの信号に基づいて、第１読取デバイス２１０による画像の読取位置（裏面位置）まで原稿が搬送されたか否かが判断される。原稿が裏面位置まで搬送されていない場合は（Ｓ１０２：Ｎ）、処理はそのままＳ１０２にて待機し、原稿が裏面位置まで搬送されると（Ｓ１０２：Ｙ）、処理はＳ１０３へ移行する。Ｓ１０３では、選択信号ＳＥＬがＬレベルに制御されることによりスイッチ回路４２０がアナログ出力Ａ側に切り換えられ、第１読取デバイス２１０による原稿の裏面の読取動作が実行される。続く原稿幅検出部の一例としてのＳ１０４では、その読取結果に基づいて原稿サイズを検出する処理が実行される。
【００２９】
更に続くＳ１０５では、Ｓ１０４の処理により原稿サイズが検出できたか否かが判断され、検出できた場合は（Ｓ１０５：Ｙ）、後述の両面読取時（Ｓ１０８）におけるトリガ信号ＴＧＡ，ＴＧＢの出力タイミングがＳ１０６にて演算された後に、原稿サイズが検出できなかった場合はそのまま（Ｓ１０５：Ｎ）、処理はＳ１０７へ移行する。Ｓ１０７では、各種センサ３１０〜３３０からの信号に基づいて、第２読取デバイス２３０による画像の読取位置（表面位置）まで原稿が搬送されたか否かが判断される。原稿が表面位置まで搬送されていない場合は（Ｓ１０７：Ｎ）、処理は前述のＳ１０３へ移行して裏面読取が続行され、原稿が表面位置まで搬送されると（Ｓ１０７：Ｙ）、処理はＳ１０８へ移行する。Ｓ１０８では、第１読取デバイス２１０，第２読取デバイス２３０による原稿の表裏両面の読取動作が、Ｓ１０６の演算結果に基づいて次のように実行される。
【００３０】
すなわち、トリガ信号ＴＧＡ，ＴＧＢの出力タイミングは、初期設定では図７（Ｂ）のように設定されている。すなわち、トリガ信号ＴＧＡに応じてアナログ出力Ａが出力され、その出力が終了してからトリガ信号ＴＧＢが出力されて、アナログ出力Ｂが出力されるといったタイミングである。これに対して、例えばＳ１０６にて原稿サイズがＡ４縦置き（すなわち主走査方向の幅がＡ４サイズの短辺）であると判断されたとすると、トリガ信号ＴＧＡ，ＴＧＢの出力タイミングは図７（Ａ）に例示するように設定される。すなわち、トリガ信号ＴＧＡに応じて出力されたアナログ出力ＡのうちＡ４サイズの短辺に対応した読取領域の出力が終了した時点で、アナログ出力ＢのうちＡ４サイズの短辺に対応した読取領域の出力が開始されるように、トリガ信号ＴＧＢの出力タイミングが制御されるのである。なお、前述の選択信号ＳＥＬは、アナログ出力Ｂのうち上記読取領域の出力がなされる間だけＨレベルに制御され、その読取領域のアナログ出力Ｂがスイッチ回路４２０を介してＡ／Ｄ変換回路４１０に入力される。
【００３１】
また、Ｓ１０３〜Ｓ１０７の処理による裏面読取中にＳ１０５にて常に否定判断がなされ、Ｓ１０６による演算がなされていない場合は、図７（Ｂ）に示す初期設定のタイミングでトリガ信号ＴＧＡ，ＴＧＢが出力される。
【００３２】
図６に戻って、Ｓ１０８では、このような両面読取が実行され、続くＳ１０９では、各種センサ３１０〜３３０からの信号に基づいて、原稿の後端が前述の裏面位置を通過したか否かが判断される。原稿が裏面位置を通過していない場合は（Ｓ１０９：Ｎ）、処理はＳ１０８へ移行して両面読取が続行され、原稿が裏面位置を通過すると（Ｓ１０９：Ｙ）、処理はＳ１１０へ移行する。Ｓ１１０では、選択信号ＳＥＬがＨレベルに制御されることによりスイッチ回路４２０がアナログ出力Ｂ側に切り換えられ、第２読取デバイス２３０による原稿の表面の読取動作が実行される。続くＳ１１１では、各種センサ３１０〜３３０からの信号に基づいて、原稿の排紙が完了したか否かが判断される。そして、原稿の排紙が完了していない場合は（Ｓ１１１：Ｎ）、処理はＳ１１０へ移行して表面読取が続行され、原稿の排紙が完了すると（Ｓ１１１：Ｙ）、処理が一旦終了する。
【００３３】
［本実施の形態の効果及びその変形例］
このように、ＡＳＩＣ４００は、トリガ信号ＴＧＡ，ＴＧＢの出力タイミングを例えば図７（Ａ）に例示するように設定することで、アナログ出力ＡのうちＡ４サイズの短辺に対応した読取領域の出力が終了した時点で、アナログ出力ＢのうちＡ４サイズの短辺に対応した読取領域の出力が開始されるようにする。このため、不要な読取信号が出力される時間が減少し、読取速度を良好に向上させることができる。すなわち、従来の両面読取では、図７（Ｂ）に例示したように読取時間が長くなってしまうが、本実施の形態では、読取時間を良好に短縮することができる。
【００３４】
また、本実施の形態では、アナログ出力Ａの上記読取領域の出力が終了してからアナログ出力Ｂの上記読取領域の出力がなされるので、１つのＡ／Ｄ変換回路４１０によって各アナログ出力Ａ，Ｂを良好に処理することができる。更に、本実施の形態では、第１読取デバイス２１０の受光素子２１５が配列された主走査方向の範囲と第２読取デバイス２３０の受光素子２３５が配列された主走査方向の範囲とが互いに異なっている。このため、原稿の両面を読み取る際にその原稿の幅から外れた領域に配設される受光素子２３５の数が多くなるが、本実施の形態ではそのような受光素子２３５からの読取信号の出力に要する時間を減少させることができるので、読取速度を一層顕著に向上させることができる。
【００３５】
なお、本発明は上記実施の形態になんら限定されるものではなく、本発明の要旨を逸脱しない範囲で種々の形態で実施することができる。例えば、上記実施の形態では、第２読取デバイス２３０と第１読取デバイス２１０とは主走査方向の中心が一致するように配置されているが、第２読取デバイス２３０と第１読取デバイス２１０とは主走査方向の一端が一致するように配置されてもよい。この場合も、上記実施の形態と同様の処理が適用できる。
【００３６】
また、第２読取デバイス２３０と第１読取デバイス２１０との両方がＡ３原稿サイズに対応していてもよい。この場合、トリガ信号ＴＧＡ，ＴＧＢの出力タイミングが次のように設定される。
【００３７】
すなわち、Ａ３サイズの原稿の両面読取が実行される場合は、図８（Ａ）に例示するように、アナログ出力ＡのうちＡ３サイズの短辺に対応した読取領域の出力が終了した時点で、アナログ出力ＢのうちＡ３サイズの短辺に対応した読取領域の出力が開始され、その読取領域の出力が終了した時点でアナログ出力Ａの上記読取領域の出力が開始されるように上記タイミングが設定される。また、Ａ４サイズの原稿の両面読取が実行される場合は、トリガ信号ＴＧＡに応じて出力されたアナログ出力ＡのうちＡ４サイズの短辺に対応した読取領域の出力が終了した時点で、アナログ出力ＢのうちＡ４サイズの短辺に対応した読取領域の出力が開始されるようにトリガ信号ＴＧＢの出力タイミングが設定される。これらの場合も、上記実施の形態と同様に、読取時間を良好に短縮することができる。
【００３８】
また上記実施の形態では、裏面読取時に原稿サイズを検出しているが（Ｓ１０４）、操作パネル６００（原稿幅検出部の一例）からの入力に基づいて原稿サイズを検出してもよい。図９は、そのような形態の処理を表すフローチャートである。図９に示すように、この処理では、先ず、Ｓ２０１にて、操作パネル６００からの入力に基づいて原稿サイズが検出され、続くＳ２０２にて、Ｓ１０６と同様にトリガ信号ＴＧＡ，ＴＧＢの出力タイミングが演算される。そして、続くＳ２０３では、Ｓ２０２で演算されたタイミングに基づいて原稿の読み取りが実行され、処理が終了する。なお、このＳ２０３の処理は、図６のフローチャートにおいてＳ１０３〜Ｓ１０６の処理を削除したものと同様の処理である。この場合も、上記実施の形態と同様に、読取時間を良好に短縮することができる。
【符号の説明】
【００３９】
１…複合機                  １０…画像読取装置          ２１…原稿台
３０…原稿カバー            １００…搬送部              ２１０…第１読取デバイス
２１５，２３５…受光素子    ２３０…第２読取デバイス    ３１０…Ｆセンサ
３２０…ＲＢセンサ          ３３０…Ｒセンサ            ３５１…モータ
４００…ＡＳＩＣ          ４０１…タイミング生成回路    ４１０…Ａ／Ｄ変換回路
４２０…スイッチ回路      ６００…操作パネル
【図１】
2011254137.tif 000003
【図２】
2011254137.tif 000004
【図３】
2011254137.tif 000005
【図４】
2011254137.tif 000006
【図５】
2011254137.tif 000007
【図６】
2011254137.tif 000008
【図７】
2011254137.tif 000009
【図８】
2011254137.tif 000010
【図９】
2011254137.tif 000011